【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
第１の複数の交互に重なる活性層およびバリア層を含むマルチ量子井戸活性領域を含む第１の広帯域ＬＥＤチップであって、前記第１の複数の活性層は、第１の半導体化合物の少なくとも２つの要素の異なる相対濃度をそれぞれ含み、第１の波長範囲にわたる複数の異なる放射波長の光を放射するようそれぞれ構成した第１の広帯域ＬＥＤチップと、
第２の複数の交互に重なる活性層およびバリア層を含むマルチ量子井戸活性領域を含む第２の広帯域ＬＥＤチップであって、前記第２の複数の活性層は、第２の半導体化合物の少なくとも２つの要素の異なる相対濃度をそれぞれ含み、前記第１の波長範囲のものより大きな波長を含む第２の波長範囲にわたる複数の異なる放射波長の光を放射するようそれぞれ構成した第２の広帯域ＬＥＤチップと、
を備える、白色光を発生するマルチ・チップ発光デバイス（ＬＥＤ）ランプであって、
前記第２の半導体化合物は、前記第１の半導体化合物より狭いバンドギャップを有し、前記第１および／または第２の広帯域ＬＥＤチップが放射する光は、前記それぞれの第１および／または第２の波長範囲にわたる非対称スペクトル分布を定め、前記第１および第２の広帯域ＬＥＤチップが放射する光を混合すると白色光に見える、マルチ・チップＬＥＤランプ。
【請求項２】
前記第１および第２の広帯域ＬＥＤチップのそれぞれが放射する光のスペクトル分布は、約３５ナノメートル（ｎｍ）より大きな半値全幅（ＦＷＨＭ）を有する、請求項１記載のマルチ・チップＬＥＤランプ。
【請求項３】
前記第２の広帯域ＬＥＤチップが放射する光に関連する非放射エネルギー損失は前記第１の広帯域ＬＥＤチップが放射する光のものより小さい、請求項２記載のマルチ・チップＬＥＤランプ。
【請求項４】
前記第１の広帯域ＬＥＤチップが放射する光は、前記第１の波長範囲にわたる第１のスペクトル分布を定め、前記第２の広帯域ＬＥＤチップが放射する光は、前記第２の波長範囲にわたる第２のスペクトル分布を定め、前記第１および第２のスペクトル分布のそれぞれの中心波長の間隔は、前記第１および第２のスペクトル分布のそれぞれの半値半幅値の和より大きくない、請求項３記載のマルチ・チップＬＥＤランプ。
【請求項５】
第３の複数の交互に重なる活性層およびバリア層を含むマルチ量子井戸活性領域を含む第３の広帯域ＬＥＤチップであって、前記第３の複数の活性層は、第３の半導体化合物の少なくとも２つの要素の異なる相対濃度をそれぞれ含み、前記第２の波長範囲のものより大きな波長を含む第３の波長範囲にわたる複数の異なる放射波長の光を放射するようそれぞれ構成した第３の広帯域ＬＥＤチップを更に備え、
前記第３の半導体化合物は、前記第２の半導体化合物より狭いバンドギャップを有し、前記第１、第２、および第３の広帯域ＬＥＤチップが放射する光を混合すると白色光に見える、請求項４記載のマルチ・チップＬＥＤランプ。
【請求項６】
前記第３の広帯域ＬＥＤチップが放射する光に関連する非放射エネルギー損失は、前記第２の広帯域ＬＥＤチップが放射する光のものより小さい、請求項５記載のマルチ・チップＬＥＤランプ。
【請求項７】
前記第３の広帯域ＬＥＤチップが放射する光は、前記第３の波長範囲にわたる第３のスペクトル分布を定め、かつ前記第２および第３のスペクトル分布のそれぞれの中心波長の間隔は、前記第２および第３のスペクトル分布のそれぞれの半値半幅値の和より大きくない、請求項６記載のマルチ・チップＬＥＤランプ。
【請求項８】
前記第１の波長範囲は青色光に対応し、前記第２の波長範囲は緑色光に対応し、かつ前記第３の波長範囲は赤色光に対応する、請求項７記載のマルチ・チップＬＥＤランプ。
【請求項９】
前記第１、第２、および第３の波長範囲は、それぞれ約３０ナノメートル（ｎｍ）より大きい、請求項８記載のマルチ・チップＬＥＤランプ。
【請求項１０】
前記第１および／または第２の波長範囲内の波長で放射する光に関連するエネルギーは、前記第１および第２の広帯域ＬＥＤチップの１つが前記第１および／または第２の波長範囲内の別の波長で放射する光に関連するエネルギーの約１２５％以内、または
前記第１および／または第２の波長範囲内の波長で放射する光子の数は、前記第１および第２の広帯域ＬＥＤチップの１つが前記第１および／または第２の波長範囲内の別の波長で放射する光子の数の約１２５％以内である、請求項３記載のマルチ・チップＬＥＤランプ。
【請求項１１】
光変換材料を含まない、請求項８記載のマルチ・チップＬＥＤランプ。
【請求項１２】
前記第１および／または第２の複数のバリア層は、前記それぞれの第１および／または第２の複数の活性層の相対濃度に基づく前記第１および／または第２の半導体化合物のそれぞれの要素のグレーデッド濃度をそれぞれ有し、その中のキャリヤの再結合を促進する、請求項３記載のマルチ・チップＬＥＤランプ。
【請求項１３】
前記第１および第２の半導体化合物は、異なるＩＩＩ−Ｖ族化合物を含む、請求項７記載のマルチ・チップＬＥＤランプ。
【請求項１４】
前記第１の半導体化合物は、ＧａＮを含み、前記第２の半導体化合物は、ＩｎＧａＮを含み、前記第３の半導体化合物は、ＡｌＧａＩｎＰを含む、請求項１３記載のマルチ・チップＬＥＤランプ。
【請求項１５】
前記複数の第２の活性層は、ＩｎxＧａ1-xＮの第１の層とＩｎyＧａ1-yＮの第２の層と（ただし、ｘとｙとは等しくない）を含む、請求項１４記載のマルチ・チップＬＥＤランプ。
【請求項１６】
前記複数の第３の活性層は、ＡｌxＧａyＩｎ1-x-yＰの第１の層とＡｌwＧａzＩｎ1-w-zＰの第２の層と（ただし、ｘとｗとは等しくなく、またｙとｚとは等しくない）を含む、請求項１５記載のマルチ・チップＬＥＤランプ。
【請求項１７】
前記第１の広帯域ＬＥＤチップが放射する光は、前記第１の波長範囲にわたる第１のスペクトル分布を定め、前記第２の広帯域ＬＥＤチップが放射する光は、前記第２の波長範囲にわたる第２のスペクトル分布を定め、かつ前記第１および第２のスペクトル分布のそれぞれの中心波長の間隔は、前記第１および第２のスペクトル分布のそれぞれの半値半幅値の和より小さくない、請求項３記載のマルチ・チップＬＥＤランプ。
【請求項１８】
前記第１および／または第２の広帯域ＬＥＤチップが放射する光の少なくとも一部を吸収して、前記第１および第２の波長範囲の間の第３の波長範囲にわたる複数の異なる放射波長の光を再放射するよう構成した光変換材料であって、前記第１および第２の広帯域ＬＥＤチップと前記光変換材料とが放射する光を混合して白色光を発生するような光変換材料を更に備える、請求項１７記載のマルチ・チップＬＥＤランプ。
【請求項１９】
前記光変換材料は、前記第１および／または第２の広帯域ＬＥＤチップ直上にはない、請求項１８記載のマルチ・チップＬＥＤランプ。
【請求項２０】
前記第１の広帯域ＬＥＤチップの前記活性層は、青色波長範囲にわたる複数の異なる放射波長の光を放射して約４０ナノメートル（ｎｍ）より大きな半値全幅（ＦＷＨＭ）を有する青色スペクトル分布を定めるよう構成し、
前記第２の広帯域ＬＥＤチップの前記活性層は、緑色波長範囲にわたる複数の異なる放射波長の光を放射して約４０ナノメートル（ｎｍ）より大きな半値全幅（ＦＷＨＭ）を有する緑色スペクトル分布を定めるよう構成し、
前記第３の広帯域ＬＥＤチップの前記活性層は、赤色波長範囲にわたる複数の異なる放射波長の光を放射して約５０ナノメートル（ｎｍ）より大きな半値全幅（ＦＷＨＭ）を有する赤色スペクトル分布を定めるよう構成した、請求項１１記載のマルチ・チップＬＥＤランプ。
【請求項２１】
前記第１、第２、および／または第３のＬＥＤチップが放射する光は、前記それぞれの波長範囲にわたる非対称スペクトル分布を定める、請求項８記載のマルチ・チップＬＥＤランプ。
【請求項２２】
前記第１の広帯域ＬＥＤチップの前記活性層は、青色波長範囲にわたる複数の異なる放射波長の光を放射して青色スペクトル分布を定めるよう構成し、
前記第２の広帯域ＬＥＤチップの前記活性層は、赤色波長範囲にわたる複数の異なる放射波長の光を放射して赤色スペクトル分布を定めるよう構成し、かつ
前記光変換材料は、前記第１および／または第２のＬＥＤチップが放射する光の少なくとも一部を吸収して、緑色波長範囲にわたる光を再放射して緑色スペクトル分布を定めるよう構成し、
前記青色および緑色のスペクトル分布のそれぞれの中心波長の間隔は、前記青色および緑色のスペクトル分布のそれぞれの半値半幅の和より大きくなく、かつ前記赤色および緑色のスペクトル分布のそれぞれの中心波長の間隔は、前記赤色および緑色のスペクトル分布のそれぞれの半値半幅の和より大きくない、請求項１８記載のマルチ・チップＬＥＤランプ。
【請求項２３】
前記第１の半導体化合物のバンドギャップと前記第１のＬＥＤチップが放射する光に関連するエネルギーとの差は、前記第２の半導体化合物のバンドギャップと前記第２のＬＥＤチップが放射する光に関連するエネルギーとの差より小さい、請求項２２記載のマルチ・チップＬＥＤランプ。
【請求項２４】
前記第１および第２のＬＥＤチップのそれぞれが放射する光は、前記それぞれの波長範囲にわたる非対称スペクトル分布を定める、請求項２２記載のマルチ・チップＬＥＤランプ。
【請求項２５】
複数の交互に重なる活性層およびバリア層を含むマルチ量子井戸活性領域を含む広帯域ＬＥＤチップであって、前記複数の活性層は、半導体化合物の少なくとも２つの要素の異なる相対濃度をそれぞれ含み、少なくとも第１の波長範囲と前記第１の波長範囲とは異なる第２の波長範囲とにわたる複数の異なる放射波長の光をそれぞれ放射して混合すると白色光に見えるよう構成し、前記第１および第２の波長範囲の少なくとも１つにわたって放射する光は、広帯域光を含む、広帯域ＬＥＤチップを備える、白色光を発生するマルチ・チップ発光デバイス（ＬＥＤ）ランプ。
【請求項２６】
前記第１および第２の波長範囲のそれぞれにわたって、前記広帯域ＬＥＤチップが放射する光のスペクトル分布は、約３５ナノメートル（ｎｍ）より大きな半値全幅（ＦＷＨＭ）を有する、請求項２５記載のＬＥＤランプ。